(57)【特許請求の範囲】
【請求項１】
グループメッセージング関係を確立するための方法であって、
ウェブサーバにより、情報に関するコメントの数が所定の第１の期間内に所定の第１の閾値を超えたか否かを判定し、
前記情報に関する前記コメントの数が前記所定の第１の期間内に前記所定の第１の閾値を超えた場合に、
前記情報に関連する対応するインスタントメッセージンググループを確立し、
前記情報に関連する前記インスタントメッセージンググループの固有のＩＤ情報を記録すること、
を備える、方法。
【請求項２】
請求項１に記載の方法であって、前記対応するインスタントメッセージンググループの確立は、
前記ウェブサーバにより、前記情報に関連するインスタントメッセージンググループを確立するためのインスタントメッセージンググループ確立要求をインスタントメッセージングサーバに送信し、
前記インスタントメッセージングサーバが前記インスタントメッセージンググループ確立要求に基づいて前記インスタントメッセージンググループを確立したことに応答して前記インスタントメッセージングサーバから送信されたインスタントメッセージンググループ確立応答を受信すること、
を含む、方法。
【請求項３】
請求項１に記載の方法であって、さらに、
前記ウェブサーバにより、前記情報に関連する前記インスタントメッセージンググループが所定の中断条件を満たすか否かを判定し、
前記情報に関連する前記インスタントメッセージンググループが、前記所定の中断条件を満たす場合に、
前記ウェブサーバにより、前記情報に関連する前記インスタントメッセージンググループを中断し、
前記情報に関連する前記インスタントメッセージンググループの前記記録された固有のＩＤ情報を削除するか、または、前記情報に関連する前記インスタントメッセージンググループのステータスを中断ステータスに設定すること、
を備える、方法。
【請求項４】
請求項３に記載の方法であって、前記所定の中断条件は、
所定の第２の期間内に前記情報に関連する前記インスタントメッセージンググループで投稿されたメッセージの数が、所定の第２の閾値未満である条件、
所定の第３の期間内に前記情報に関連する前記インスタントメッセージンググループでメッセージを送信したユーザの数が、所定の第３の閾値未満である条件、
現在の日付が、前記情報に関連する前記インスタントメッセージンググループの有効期限を過ぎている条件、または、
これらの任意の組み合わせ、
を含む、方法。
【請求項５】
請求項３に記載の方法であって、前記情報に関連する前記インスタントメッセージンググループの中断は、
前記ウェブサーバにより、前記情報に関連する前記インスタントメッセージンググループの前記固有のＩＤ情報を含むインスタントメッセージンググループ中断要求を前記インスタントメッセージングサーバに送信し、
前記インスタントメッセージングサーバが前記インスタントメッセージンググループを中断したことに応答して前記インスタントメッセージングサーバによって送信されたインスタントメッセージンググループ中断応答を受信すること、
を含む、方法。
【請求項６】
ウェブサーバであって、
制御ユニットと、
判定ユニットと、
確立ユニットと、
を備え、
前記判定ユニットは、情報に関するコメントの数が所定の第１の期間内に所定の第１の閾値を超えたか否かを判定し、
前記制御ユニットは、前記情報に関する前記コメントの数が前記所定の第１の期間内に前記所定の第１の閾値を超えたと前記判定ユニットが判定したことに応答して、前記確立ユニットを起動し、
前記確立ユニットは、前記情報に関連する対応するインスタントメッセージンググループを確立し、前記情報に関連する前記インスタントメッセージンググループに対応する固有のＩＤ情報を記録する、ウェブサーバ。
【請求項７】
請求項６に記載のウェブサーバであって、前記確立ユニットは、
前記情報に関連するインスタントメッセージンググループ確立要求をインスタントメッセージングサーバに送信するよう構成された第１の送信ユニットと、
前記インスタントメッセージングサーバが前記情報に関連する前記インスタントメッセージンググループを確立したことに応答して前記インスタントメッセージングサーバによって送信されたインスタントメッセージンググループ確立応答を受信するよう構成された第１の受信ユニットであって、前記インスタントメッセージンググループ確立応答は、前記インスタントメッセージンググループに対応する前記固有のＩＤ情報を含む、第１の受信ユニットと、
前記第１の受信ユニットによって受信された前記インスタントメッセージンググループ確立応答に基づいて、前記情報に関連する前記インスタントメッセージンググループに対応する前記固有のＩＤ情報を記録するよう構成された追加ユニットと、
を備える、ウェブサーバ。
【請求項８】
請求項６に記載のウェブサーバであって、さらに、
前記情報に関連する前記インスタントメッセージンググループを中断し、前記情報に関連する前記インスタントメッセージンググループの前記固有のＩＤ情報を削除するか、または、前記情報に関連する前記インスタントメッセージンググループのステータスを中断ステータスに設定するよう構成された中断ユニットを備え、
前記判定ユニットは、前記情報に関連する前記インスタントメッセージンググループが所定の中断条件を満たしたか否かを判定し、
前記制御ユニットは、前記情報に関連する前記インスタントメッセージンググループが前記所定の中断条件を満たしたと前記判定ユニットが判定したことに応答して、前記中断ユニットを起動する、ウェブサーバ。
【請求項９】
請求項８に記載のウェブサーバであって、前記制御ユニットは、
所定の第２の期間内に前記情報に関連する前記インスタントメッセージンググループで投稿されたメッセージの数が、所定の第２の閾値未満である条件、
所定の第３の期間内に前記情報に関連する前記インスタントメッセージンググループでメッセージを送信したユーザの数が、所定の第３の閾値未満である条件、および、
現在の日付が、前記情報に関連する前記インスタントメッセージンググループの設定された有効期限を過ぎている条件、の任意の組み合わせが満たされたことに応答して、前記中断ユニットを起動する、ウェブサーバ。
【請求項１０】
請求項８に記載のウェブサーバであって、前記中断ユニットは、
前記情報に関連する前記インスタントメッセージンググループに対応する前記固有のＩＤ情報を含むインスタントメッセージンググループ中断要求を前記インスタントメッセージングサーバに送信するよう構成された第２の送信ユニットと、
前記インスタントメッセージングサーバが前記インスタントメッセージンググループ中断要求を受信したことに応答して前記インスタントメッセージングサーバによって送信されたインスタントメッセージンググループ中断応答を受信するよう構成された第２の受信ユニットと、
前記情報に関連する前記インスタントメッセージンググループに対応する前記固有のＩＤ情報を削除するか、または、前記情報に関連する前記インスタントメッセージンググループのステータスを中断ステータスに設定するよう構成された削除ユニットと、
を備える、ウェブサーバ。
【請求項１１】
グループメッセージング関係を確立するためのコンピュータプログラムであって、
ウェブサーバにより、情報に関するコメントの数が所定の第１の期間内に所定の第１の閾値を超えたか否かを判定するための機能と、
前記情報に関する前記コメントの数が前記所定の第１の期間内に前記所定の第１の閾値を超えた場合に、前記情報に関連する対応するインスタントメッセージンググループを確立するための機能と、
前記情報に関連する前記インスタントメッセージンググループの固有のＩＤ情報を記録するための機能と、
をコンピュータによって実現させる、コンピュータプログラム。
【請求項１２】
請求項１１に記載のコンピュータプログラムであって、前記対応するインスタントメッセージンググループを確立することは、
前記ウェブサーバにより、前記情報に関連するインスタントメッセージンググループを確立するためのインスタントメッセージンググループ確立要求をインスタントメッセージングサーバに送信すること、
前記インスタントメッセージングサーバが前記インスタントメッセージンググループ確立要求に基づいて前記インスタントメッセージンググループを確立したことに応答して前記インスタントメッセージングサーバから送信されたインスタントメッセージンググループ確立応答を受信すること、
を含む、コンピュータプログラム。
【請求項１３】
請求項１１に記載のコンピュータプログラムであって、さらに、
前記ウェブサーバにより、前記情報に関連する前記インスタントメッセージンググループが所定の中断条件を満たすか否かを判定するための機能と、
前記情報に関連する前記インスタントメッセージンググループが、前記所定の中断条件を満たす場合に、
前記ウェブサーバにより、前記情報に関連する前記インスタントメッセージンググループを中断するための機能と、
前記情報に関連する前記インスタントメッセージンググループの前記記録された固有のＩＤ情報を削除するか、または、前記情報に関連する前記インスタントメッセージンググループのステータスを中断ステータスに設定するための機能と、
をコンピュータによって実現させる、コンピュータプログラム。
【請求項１４】
請求項１３記載のコンピュータプログラムであって、前記所定の中断条件は、
所定の第２の期間内に前記情報に関連する前記インスタントメッセージンググループで投稿されたメッセージの数が、所定の第２の閾値未満である条件、
所定の第３の期間内に前記情報に関連する前記インスタントメッセージンググループでメッセージを送信したユーザの数が、所定の第３の閾値未満である条件、
現在の日付が、前記情報に関連する前記インスタントメッセージンググループの有効期限を過ぎている条件、または、
これらの任意の組み合わせ、
を含む、コンピュータプログラム。
【請求項１５】
請求項１３に記載のコンピュータプログラムであって、前記情報に関連する前記インスタントメッセージンググループを中断することは、
前記ウェブサーバにより、前記情報に関連する前記インスタントメッセージンググループの前記固有のＩＤ情報を含むインスタントメッセージンググループ中断要求を前記インスタントメッセージングサーバに送信すること、
前記インスタントメッセージングサーバが前記インスタントメッセージンググループを中断したことに応答して前記インスタントメッセージングサーバによって送信されたインスタントメッセージンググループ中断応答を受信すること、
を含む、コンピュータプログラム。
【発明の詳細な説明】
【技術分野】
【０００１】
他の出願の相互参照
本願は、すべての目的のために参照により本明細書に組み込まれる、２０１１年１１月１６日出願の発明の名称を「ＧＲＯＵＰ  ＭＥＳＳＡＧＩＮＧ  ＲＥＬＡＴＩＯＮＳＨＩＰ  ＥＳＴＡＢＬＩＳＨＭＥＮＴ  ＡＮＤ  ＷＥＢ  ＰＡＧＥ  ＤＩＳＰＬＡＹ  ＭＥＴＨＯＤ  ＡＮＤ  ＲＥＬＡＴＥＤ  ＥＱＵＩＰＭＥＮＴ（グループメッセージング関係の確立およびウェブページの表示の方法、並びに関連装置）」とする、中国特許出願第２０１１１０３６３３０６．Ｘ号に基づく優先権を主張する。
【０００２】
本願は、ユーザ間の相互作用（交流、意思疎通）を容易にするためのグループメッセージングに関する。
【背景技術】
【０００３】
多くの既存の情報ウェブサイトおよび電子商取引ウェブサイトは、ニュース記事、トピック、または、商品に関するコメントを提供することができる。コメントは、スレッドリストに表示され、ユーザは、ニュース記事、トピック、または、商品に関するコメントを読むことができる。しかしながら、特定のニュース記事、トピック、または、商品に関するコメントは、通例は静的である。一部の電子商取引ウェブサイトは、購入者と販売者との間の一対一の相互作用を可能にするが、通例は、同じ商品に関して複数の購入者間でやり取りを行うという要求を満たすことができない。例えば、あるシナリオにおいて、ユーザＡが、特定の電子商取引ウェブサイトで特定の商品を購入したいと思うと、その商品に関連するウェブページ内の商品に関する他のユーザのコメントを読むことができる。しかしながら、商品に関するコメントは、通例、静的であり、コメントは、一般に、商品購入直後に他のユーザによって公開される。ユーザＡは、通例、他のユーザと直接接触できないので、しばらく商品を使用した後に他のユーザが商品についてどのように感じたのかを知る方法がない。別のシナリオでは、ユーザＢが、情報ウェブサイトのメンバーであるとする。ユーザにとって関心のあるトピックを調べた後、例えば、ユーザＢは、そのトピックの理解を深めて、このトピックについて詳しい他のユーザとトピックに関する議論を始めたいと思うことがある。このトピックについて誰が関心を持っているのかまたは詳しいのかを知ることなしに、ユーザＢが他のユーザに接触して会話に参加させることは困難である。
【０００４】
ニュース記事、トピック、および、商品はいずれも、ユーザの関心を引くことができる。しかしながら、既存のウェブプラットフォームは、通常、同じニュース記事、トピック、または、商品に関心のある複数のユーザ間でのリアルタイムの議論を開始するための良好な機能を提供しない。
【図面の簡単な説明】
【０００５】
以下の詳細な説明と添付の図面において、本発明の様々な実施形態を開示する。
【０００６】
【図１】グループメッセージングを用いてユーザ間の相互作用を容易にするシステムの一実施形態を示す図。
【０００７】
【図２】グループメッセージング関係を確立するための方法の一実施形態を示すフローチャート。
【０００８】
【図３】グループメッセージング関係を確立するための方法の一実施形態を示すフローチャート。
【０００９】
【図４】グループメッセージング関係を確立するためのウェブサーバの一実施形態を示す構造ブロック図。
【００１０】
【図５】グループメッセージング関係を確立するためのウェブページ表示方法の一実施形態を示すフローチャート。
【００１１】
【図６】グループメッセージング関係を確立するためのウェブサーバとクライアントのブラウザとを示す構造ブロック図。
【発明を実施するための形態】
【００１２】
本発明は、処理、装置、システム、物質の組成、コンピュータ読み取り可能な格納媒体上に具現化されたコンピュータプログラム製品、および／または、プロセッサ（プロセッサに接続されたメモリに格納および／またはそのメモリによって提供される命令を実行するよう構成されたプロセッサ）を含め、様々な形態で実装されうる。本明細書では、これらの実装または本発明が取りうる任意の他の形態を、技術と呼ぶ。一般に、開示された処理の工程の順序は、本発明の範囲内で変更されてもよい。特に言及しない限り、タスクを実行するよう構成されるものとして記載されたプロセッサまたはメモリなどの構成要素は、ある時間にタスクを実行するよう一時的に構成された一般的な構成要素として、または、タスクを実行するよう製造された特定の構成要素として実装されてよい。本明細書では、「プロセッサ」という用語は、１または複数のデバイス、回路、および／または、コンピュータプログラム命令などのデータを処理するよう構成された処理コアを指すものとする。
【００１３】
以下では、本発明の原理を示す図面を参照しつつ、本発明の１または複数の実施形態の詳細な説明を行う。本発明は、かかる実施形態に関連して説明されているが、どの実施形態にも限定されない。本発明の範囲は、特許請求の範囲によってのみ限定されるものであり、多くの代替物、変形物、および、等価物を含む。以下の説明では、本発明の完全な理解を提供するために、多くの具体的な詳細事項が記載されている。これらの詳細事項は、例示を目的としたものであり、本発明は、これらの具体的な詳細事項の一部または全てがなくとも特許請求の範囲に従って実施可能である。簡単のために、本発明に関連する技術分野で周知の技術要素については、本発明が必要以上にわかりにくくならないように、詳細には説明していない。
【００１４】
本願は、特定の情報（例えば、ニュース記事、トピック、または、商品）に関するコメントを読んだユーザが、同じニュース記事、トピック、または、商品に関するコメントを公開した他のユーザと便利かつ迅速にグループメッセージング関係を確立することを可能にする。したがって、同じトピックに関心を持つグループのユーザが、共通のニュース記事、トピック、または、商品に関して、より多くの情報を簡便に議論および提供することができる。従来は、特定のニュース記事、トピック、または、商品に関するコメントを見たユーザが、同じニュース記事、トピック、または、商品に関するコメントを公開したユーザとコミュニケーションしたいと思った場合、ログオンして、各ユーザを個別に見つけ、「友達」として追加するなど、一連の複雑な動作を行う必要があった。複雑な動作は、ユーザにとって非常に不便である。さらに、複雑な動作は、大量のサーバリソースを利用するだけでなく、通信ネットワークへのネットワーク負荷を増大させる。
【００１５】
本願において、情報は、ニュース記事、トピック、または、商品に関する情報を含む。情報に関するコメントとインスタントメッセージングとを統合することによって、同じ情報に関心のある複数のユーザが、グループメッセージング方法を用いてリアルタイムのやり取りに参加することが可能になる。例えば、電子商取引ウェブサイトで同じ商品を購入したユーザが、より迅速に情報を交換することができるようになり、電子商取引ウェブサイトの販売者が、購入者の質問に対する回答を集中させることにより、個別に繰り返し同様の質問に答えなければならないという問題を回避できる。また、同じトピックに関心のあるユーザ間でより自由に議論が開始されうる。静的なコメント履歴と動的なインスタントメッセージンググループとの間のつながりを確立することにより、ウェブサイトは、ユーザをより良好に惹き付けてつなぎ止めることができる。
【００１６】
図１は、グループメッセージングを用いてユーザ間の相互作用（意思疎通）を容易にするシステムの一実施形態を示す図である。システム１００は、ウェブサーバ１０２、インスタントメッセージングサーバ１０４、および、クライアント１０８を備えている。ウェブサーバ１０２、インスタントメッセージングサーバ１０４、および、クライアント１０８はすべて、ネットワーク１０６を介して接続されている。１つのウェブサーバ１０２、１つのインスタントメッセージングサーバ１０４、および、１つのクライアント１０８のみが図示されているが、２以上のウェブサーバ１０２、２以上のインスタントメッセージングサーバ１０４、および、２以上のクライアント１０８が、ネットワーク１０６上に配置されてもよい。クライアント１０８は、ブラウザを有しており、パーソナルコンピュータ（ＰＣ）、携帯デバイスなどであってよい。ウェブサーバ１０２は、ネットワーク１０６を介してハイパーテキスト・トランスファー・プロトコル（ＨＴＴＰ）または任意のその他の適切なプロトコル（任意の独自のプロトコルなど）に基づいて、要求に応じてクライアント１０８にウェブページを送ることができるサーバである。インスタントメッセージングサーバ１０４は、任意の適切なプロトコル（任意の独自のプロトコルなど）でネットワーク１０６を介して、複数のクライアント１０８の間でメッセージの即時送信を提供できる任意のサーバである。
【００１７】
本明細書で用いられているように、ウェブサイトとは、ハイパーテキスト・マークアップ・ランゲージ（ＨＴＭＬ）に基づいてインターネット上で公開され特定のコンテンツを表示する一連の関連するウェブページを意味しうる。ウェブサイトは、ホームページ、リストページ、および、詳細ページなど、異なるコンテンツを表示する複数のウェブページを含みうる。
【００１８】
図２は、グループメッセージング関係を確立するための処理の一実施形態を示すフローチャートである。処理２５０は、図１のウェブサーバ１０２などのウェブサーバで実施されうる。処理２５０は、以下の工程を含む。
【００１９】
工程２０１では、情報に関するコメントの数が所定の第１の期間内に所定の第１の閾値を超えたか否かが判定される。
【００２０】
工程２０２では、情報に関するコメントの数が所定の第１の期間内に所定の第１の閾値を超えたと判定された場合に、情報に関連した対応するインスタントメッセージンググループが確立される。
【００２１】
工程２０４では、情報に関連するインスタントメッセージンググループに対応する固有のＩＤ情報が記録される。
【００２２】
ウェブサーバは、情報に関連するインスタントメッセージンググループに対応する固有のＩＤ情報を情報自体に追加してよい。
【００２３】
情報（例えば、商品リスト、新商品など）について、情報に関するコメントの数が所定の第１の期間内に所定の第１の閾値を超えた場合、例えば、情報に関するコメントの数が１日に１００を超えた場合、ウェブサーバは、情報が比較的多数のユーザの関心を引いたことを示唆してよい。次に、ウェブサーバは、情報に関連するインスタントメッセージンググループを自動的に確立してよく、情報に関連して確立されたインスタントメッセージンググループに対応する固有のＩＤ情報を記録してよい。情報を含むウェブページがクライアントのブラウザに表示されると、情報に関連するインスタントメッセージンググループに対応する記録済みの固有のＩＤ情報に基づいて、ウェブサーバは、情報に関連するインスタントメッセージンググループのポータル情報を情報ウェブページにロードしてよい。したがって、ウェブサーバは、情報に関心のあるユーザがリアルタイムのやり取りに参加するためにインスタントメッセージンググループにアクセスすることを容易にしうる。
【００２４】
工程２０２の一実装例において、情報に関連するインスタントメッセージンググループの確立は、以下の工程を含んでよい。
【００２５】
図３は、情報に関連するインスタントメッセージンググループを確立するための処理の一実施形態を示すフローチャートである。処理３００は、図１のインスタントメッセージングサーバ１０４などのシステム上で実行されうる。
【００２６】
工程３０２では、関心のある情報に関連するインスタントメッセージンググループ確立要求が、ウェブサーバからインスタントメッセージングサーバに送信される。いくつかの実施形態において、インスタントメッセージンググループ確立要求は、インスタントメッセージンググループに割り当てられた固有のＩＤ情報を含む。インスタントメッセージンググループ確立要求は、ＨＴＴＰ要求または任意のその他の適切なプロトコル（任意の独自のプロトコルなど）に基づいた要求であってよい。
【００２７】
工程３０４では、インスタントメッセージングサーバは、情報に関連するインスタントメッセージンググループを確立し、確立したインスタントメッセージンググループに対応する固有のＩＤ情報を記録する。
【００２８】
インスタントメッセージンググループの確立が成功した場合、工程３０６において、インスタントメッセージングサーバは、インスタントメッセージンググループの確立が成功したことを示す応答をウェブサーバに送信する。インスタントメッセージンググループ確立応答は、ＨＴＴＰ応答または任意のその他の適切なプロトコル（任意の独自のプロトコルなど）に基づいた応答であってよい。
【００２９】
一例において、ウェブサーバによって送信されたインスタントメッセージンググループ確立要求は、グループ情報を含んでおり、グループ情報は、インスタントメッセージンググループのグループ名、記述情報、グループ情報、および／または、セキュリティ認証情報を含みうる。グループ名は固有である必要はなく、別のグループに対して登録されたグループ名と同一であってもよい。記述情報は、インスタントメッセージンググループ（例えば、自動車愛好家）に対応する情報についての詳細を含みうる。グループ情報は、グループ管理者を含んでもよい。インスタントメッセージングサーバは、情報に関連するインスタントメッセージンググループを確立して、インスタントメッセージンググループに対応する固有のグループアカウント番号を割り当てる。インスタントメッセージングサーバからウェブサーバに送信されたインスタントメッセージンググループ確立応答は、インスタントメッセージンググループに対応する固有のグループアカウント番号を含みうる。この例において、インスタントメッセージンググループに対応するグループアカウント番号は、インスタントメッセージンググループの固有のＩＤ情報である。
【００３０】
別の例において、ウェブサーバによって送信された情報に関連するインスタントメッセージンググループ確立要求は、インスタントメッセージンググループの固有のグループ名、記述情報、グループ情報、および／または、セキュリティ認証情報を含む。インスタントメッセージンググループのグループ名が別のグループにすでに登録されている場合、インスタントメッセージングサーバは、インスタントメッセージンググループに対して別のグループ名を登録するようウェブサーバにプロンプトする。したがって、グループ名の一意性が保証される。グループ情報は、グループ管理者を含みうる。記述情報は、インスタントメッセージンググループに対応する情報についての詳細を含みうる。インスタントメッセージングサーバは、情報に関連するインスタントメッセージンググループを確立しうる。インスタントメッセージングサーバは、情報に関連するインスタントメッセージンググループを確立すると、インスタントメッセージンググループ確立応答をウェブサーバに送信する。インスタントメッセージンググループ確立応答は、インスタントメッセージンググループに割り当てられた固有のグループ名を含みうる。いくつかの実施形態において、インスタントメッセージンググループのグループ名は、インスタントメッセージンググループの固有のＩＤ情報に対応する。
【００３１】
情報に関連するインスタントメッセージンググループをより良好に管理するために、インスタントメッセージンググループを管理するためのグループ管理者を設けてもよい。一例において、グループ管理者は、デフォルト設定で情報の作成者／元々の投稿者である。別の例において、特定の商品に関連するインスタントメッセージンググループのグループ管理者は、デフォルト設定で特定の商品の販売者である。
【００３２】
いくつかの実施形態では、特定の情報に対する関心度が下がった場合に、ウェブサーバは、インスタントメッセージンググループを自動的に中断（例えば、削除）する。例えば、或る期間内に、情報に関連するインスタントメッセージンググループでユーザの誰もメッセージを投稿しなかったと判定された場合、または、所定の期間内に、情報に関連するインスタントメッセージンググループでメッセージを送信するユーザの数が所定の閾値よりも少なくなった場合、インスタントメッセージンググループは、インスタントメッセージングサーバから削除される。いくつかの実施形態では、インスタントメッセージンググループが確立された時に、インスタントメッセージンググループの有効期限が設定される。したがって、インスタントメッセージンググループは、有効期限に達すると、サーバによって中断される。
【００３３】
図２に戻ると、処理２００は、任意選択的に以下を含みうる。
【００３４】
工程２０６では、情報に関連するインスタントメッセージンググループが所定の中断条件を満たすか否かが判定される。
【００３５】
工程２０８では、情報に関連するインスタントメッセージンググループが所定の中断条件を満たすという判定に応答して、ウェブサーバにより、情報に関連するインスタントメッセージンググループが中断される。
【００３６】
所定の中断条件は、以下の条件の任意の組み合わせを含んでよい。所定の第２の期間に情報に関連するインスタントメッセージンググループで投稿されたメッセージの数が、所定の第２の閾値未満であること、所定の第３の期間に情報に関連するインスタントメッセージンググループでメッセージを投稿したユーザの数が、所定の第３の閾値未満であること、および、現在の日付が、情報に関連するインスタントメッセージンググループに設定された有効期限を超えたこと。
【００３７】
工程２１０では、情報に関連するインスタントメッセージンググループの固有のＩＤ情報が削除されるか、または、情報に関連するインスタントメッセージンググループのステータスが中断ステータスに設定される。
【００３８】
情報について、情報に関連するインスタントメッセージンググループでのメッセージの数が所定の期間内に所定の数未満であったこと、情報に関連するインスタントメッセージンググループでメッセージを投稿したユーザの数が所定の期間内に所定の閾値未満であったこと、または、それらの任意の組み合わせに応答して、ウェブサーバは、情報に関連するインスタントメッセージンググループを自動的に中断してよい。インスタントメッセージンググループの中断は、インスタントメッセージンググループの固有のＩＤ情報を削除すること、または、インスタントメッセージンググループのステータスを中断ステータスに設定することを含みうる。例えば、インスタントメッセージンググループでのメッセージ数が１０日間に５であった場合、または、インスタントメッセージンググループでメッセージを投稿したユーザ数が１０日間に３未満であった場合、ウェブサーバは、情報に関連するインスタントメッセージンググループを自動的に中断してよい。グループで投稿されるメッセージの数が比較的少ないこと、または、グループで投稿するユーザの数が比較的少ないことは、情報へのユーザの関心度が下がったことを示唆しうる。その後は、情報ウェブページがクライアントのブラウザに表示されても、情報に関連するインスタントメッセージンググループのポータル情報をロードすることは、もはや必要がなくなりうる。
【００３９】
工程２０８の一例において、情報に関連するインスタントメッセージンググループの中断は、以下を含んでよい。
【００４０】
ウェブサーバは、インスタントメッセージンググループ中断要求をインスタントメッセージングサーバに送信してよい。インスタントメッセージンググループ中断要求は、インスタントメッセージンググループの固有のＩＤ情報を含んでよい。インスタントメッセージンググループ中断要求は、ＨＴＴＰ要求であってもよいし、別のネットワークプロトコルで送信されてもよい。
【００４１】
ウェブサーバは、インスタントメッセージンググループ中断応答をインスタントメッセージングサーバから受信してよい。インスタントメッセージンググループ中断応答は、ＨＴＴＰまたは別のネットワークプロトコルで送信されてよい。
【００４２】
本願は、上述のグループメッセージング関係の確立方法に対応するグループメッセージング関係の確立のためのウェブサーバを開示する。ウェブサーバの原理は、グループメッセージング関係を確立する方法と同様であるため、ウェブサーバは、グループメッセージング関係を確立する方法を参照して実施できる。したがって、繰り返しになる部分については、簡単のためにさらに議論はしない。図４は、グループメッセージング関係を確立するためのウェブサーバの一実施形態を示す図である。図４を参照すると、ウェブサーバ４００は、制御ユニット４０１、確立ユニット４０２、および、判定ユニット４０４を備える。
【００４３】
判定ユニット４０４は、情報に関するコメントの数が所定の第１の期間内に所定の第１の閾値を超えたか否かを判定するよう構成されている。
【００４４】
制御ユニット４０１は、情報に関するコメントの数が所定の第１の期間内に所定の第１の閾値を超えたことに応答して、確立ユニット４０２を起動するよう構成されている。
【００４５】
確立ユニット４０２は、情報に関連するインスタントメッセージンググループを確立し、情報に関連するインスタントメッセージンググループに対応する固有のＩＤ情報を記録するよう構成されている。
【００４６】
例えば、確立ユニット４０２は、以下を備えてよい。
【００４７】
情報に関連するインスタントメッセージンググループ確立要求をインスタントメッセージングサーバに送信するよう構成された第１の送信ユニット４１１。インスタントメッセージンググループ確立要求は、インスタントメッセージンググループに対応する固有のＩＤ情報を含んでよい。インスタントメッセージンググループ確立要求は、ＨＴＴＰ要求であってもよいし、別のネットワークプロトコルで送信されてもよい。
【００４８】
情報に関連するインスタントメッセージンググループの確立後に、インスタントメッセージングサーバによって送信されたインスタントメッセージンググループ確立応答を受信するよう構成された第１の受信ユニット４１２。インスタントメッセージンググループ確立応答は、インスタントメッセージングサーバがインスタントメッセージンググループを確立した時に、インスタントメッセージングサーバによって送信されてよい。インスタントメッセージンググループ確立応答は、ＨＴＴＰまたは別のネットワークプロトコルで送信されてよい。
【００４９】
第１の受信ユニット４１２によって受信されたインスタントメッセージンググループ確立応答に基づいて、インスタントメッセージンググループに対応する固有のＩＤ情報を記録するよう構成された追加ユニット４１３。
【００５０】
図４に示した実施形態において、ウェブサーバ４００は、中断ユニット４０３を含んでよい。
【００５１】
制御ユニット４０１は、情報に関連するインスタントメッセージンググループが所定の中断条件を満たした場合に、中断ユニット４０３を起動してよい。
【００５２】
中断ユニット４０３は、情報に関連するインスタントメッセージンググループを中断するよう構成されてよい。中断ユニット４０３は、情報に関連するインスタントメッセージンググループに対応する固有のＩＤ情報を削除してもよいし、情報に関連するインスタントメッセージンググループのステータスを中断ステータスに設定してもよい。
【００５３】
一例において、所定の中断条件は、以下の条件の任意の組み合わせを含んでよい。
【００５４】
判定ユニット４０４により、所定の第２の期間内に情報に関連するインスタントメッセージンググループで投稿されたメッセージの数が、所定の第２の閾値未満であると判定される。
【００５５】
判定ユニット４０４により、所定の第３の期間内に情報に関連するインスタントメッセージンググループでメッセージを投稿したユーザの数が、所定の第３の閾値未満であると判定される。
【００５６】
判定ユニット４０４により、現在の時刻が、情報に関連するインスタントメッセージンググループの有効期限を過ぎたと判定される。有効期限は、インスタントメッセージンググループが確立されるのと同時に設定されてよい。
【００５７】
別の例において、中断ユニット４０３は、以下を備えてもよい。
【００５８】
インスタントメッセージンググループ中断要求をインスタントメッセージングサーバに送信するよう構成された第２の送信ユニット４２１。インスタントメッセージンググループ中断要求は、情報に関連するインスタントメッセージンググループの固有のＩＤ情報を含んでよい。インスタントメッセージンググループ中断要求は、ＨＴＴＰ要求であってもよいし、別のネットワークプロトコルで送信されてもよい。
【００５９】
インスタントメッセージングサーバによって送信されたインスタントメッセージンググループ中断応答を受信するよう構成された第２の受信ユニット４２２。インスタントメッセージングサーバは、インスタントメッセージンググループ中断要求を受信すると、インスタントメッセージンググループ中断応答を送信してよい。インスタントメッセージンググループ中断応答は、ＨＴＴＰまたは別のネットワークプロトコルで送信されてよい。
【００６０】
第２の受信ユニット４２２がインスタントメッセージンググループ中断応答を受信したことに応答して、情報に関連するインスタントメッセージンググループの固有のＩＤ情報を削除するか、または、情報に関連するインスタントメッセージンググループのステータスを中断ステータスに設定するよう構成された削除ユニット４２３。
【００６１】
本願の実施形態で開示されたグループメッセージング関係の確立方法および関連装置を用いれば、１つの情報について、その情報が比較的多数のユーザの関心を引き付ける場合に、ウェブサーバは、情報に関連するインスタントメッセージンググループを自動的に確立できる。コメントおよびインスタントメッセージングユーティリティの間の関係を確立することにより、上記の方法および関連装置は、同じ情報に関心のあるユーザ間でグループメッセージングを簡便かつ迅速に確立することを可能にする。同じ情報に関心のあるユーザ間でのリアルタイムのやり取りを容易にする際に、上述の方法および装置は、さらに、サーバリソースの利用および通信ネットワーク上の負荷を低減する。
【００６２】
さらに、情報に対する関心度が下がると、情報に対応して作成されたインスタントメッセージンググループは、ウェブサーバによって自動的に中断されうる。したがって、中断により、サーバリソースの利用および通信ネットワーク上の負荷をさらに低減できる。
【００６３】
図５は、グループメッセージング関係を確立するために用いられるウェブページを表示する処理の一実施形態を示すフローチャートである。グループメッセージング関係の確立に基づいて、図５は、ウェブページ表示方法を示す。ウェブページ表示方法５００は、以下の工程を含む。
【００６４】
以下に述べるように、ユーザは、クライアントのブラウザに表示された情報ウェブページを閲覧して、情報ウェブページ上の他のユーザのコメントを見ることができる。情報に関連するインスタントメッセージンググループのポータル情報が、情報ウェブページにロードされてよい。したがって、同じ情報に関心のある他のユーザとリアルタイムのやり取りを開始する際、ユーザは、インスタントメッセージンググループポータルをクリックすることにより、インスタントメッセージンググループの固有のＩＤ情報に基づいてインスタントメッセージンググループにアクセスできる。
【００６５】
工程５０２では、情報ウェブページ閲覧要求が、ユーザによってブラウザ（またはその他の適切なアプリケーション）を通してウェブサーバに送信される。情報ウェブページ閲覧要求は、情報に関連するインスタントメッセージンググループの固有のＩＤ情報を含んでよい。
【００６６】
一例において、クライアントのブラウザによって送信される情報ウェブページ閲覧要求は、ウェブサイトの詳細なウェブページに対する閲覧要求である。ユーザは、クライアントのブラウザに情報ウェブ−ページのＵＲＬ（ユニフォームリソースロケータ）を入力して、クライアントのブラウザによって情報ウェブページ閲覧要求の送信を行ってもよいし、情報ウェブページへのハイパーリンクを含むリストページをクリックして情報ウェブページ閲覧要求の送信を行ってもよい。
【００６７】
工程５０４では、ウェブサーバが情報ウェブページ閲覧要求を受信したことに応答して、情報ウェブページ閲覧要求に含まれる固有のＩＤ情報に基づいて、情報に関連するインスタントメッセージンググループのポータル情報が、クライアントに表示される情報ウェブページにロードされる。
【００６８】
工程５０６では、クライアントのブラウザ（または他のアプリケーション）は、情報ウェブページ閲覧要求の固有のＩＤ情報に基づいて、ウェブサーバによって送信された情報に関連するインスタントメッセージンググループのポータル情報を表示する。
【００６９】
いくつかの実施形態において、インスタントメッセージンググループのポータル情報は、インスタントメッセージンググループの固有のＩＤ情報に基づいて生成されたハイパーリンクを含む。インスタントメッセージングユーティリティのロゴの画像など、さらなる情報が、任意選択的に含まれてもよい。いくつかの実施形態において、インスタントメッセージンググループポータルは、インスタントメッセージングユーティリティのロゴの画像として情報ウェブページに表示される。
【００７０】
インスタントメッセージンググループポータル（例えば、インスタントメッセージングユーティリティのロゴ）をクリックすると、インスタントメッセージングユーティリティが起動され、ユーザは、インスタントメッセージングユーティリティにログインした後に、インスタントメッセージンググループの固有のＩＤ情報を用いて、インスタントメッセージンググループとの通信およびその他のアクセスを許可される。また、ユーザがインスタントメッセージングユーティリティにログインしていない場合、インスタントメッセージングユーティリティのログインページが情報ウェブページに最初に現れてもよい。ユーザがインスタントメッセージングユーティリティへのログインに成功すると、インスタントメッセージンググループは、インスタントメッセージンググループの固有のＩＤ情報を用いて自動的にアクセスされうる。
【００７１】
一例において、ユーザがインスタントメッセージンググループポータルをクリックした時にインスタントメッセージングユーティリティへすでにログインしていた場合、クライアントのブラウザは、インスタントメッセージンググループの固有のＩＤ情報をインスタントメッセージングクライアントに送信してよく、インスタントメッセージングクライアントは、インスタントメッセージンググループの固有のＩＤ情報に基づいて、インスタントメッセージンググループのインスタントメッセージング（ＩＭ）ウィンドウを表示してよい。
【００７２】
別の例において、ユーザがインスタントメッセージンググループポータルをクリックした時にインスタントメッセージングユーティリティにログオンしていない場合、クライアントのブラウザは、オペレーティングシステムを通してインスタントメッセージングクライアントを最初に起動してよく、インスタントメッセージングユーティリティのログインインターフェースが表示されてよく、ユーザがグループ名またはグループアカウント番号とパスワードとを入力することによってログインに成功したことに応答して、クライアントのブラウザは、インスタントメッセージンググループの固有のＩＤ情報をインスタントメッセージングクライアントに送信してよく、インスタントメッセージングクライアントは、インスタントメッセージンググループの固有のＩＤ情報に基づいて、インスタントメッセージンググループのＩＭウィンドウを表示してよい。パスワードは、インスタントメッセージングクライアントにログオンするために用いられ、その結果、ユーザは、インスタントメッセージングクライアントインターフェースを用いて、インスタントメッセージンググループのメッセージを閲覧できるようになる。別の態様として、インスタントメッセージングサーバは、情報に関連するインスタントメッセージンググループのための匿名ログイン機能を提供してもよい。換言すると、インスタントメッセージングサーバは、インスタントメッセージンググループのユーザがインスタントメッセージンググループにおいて匿名でメッセージを送信することを許可してよい。
【００７３】
ユーザは、情報に関連するインスタントメッセージンググループにアクセスすれば、情報に関連するインスタントメッセージンググループの他のユーザとリアルタイムのやり取りを開始できる。例えば、ユーザは、他のユーザからの質問に答えたり、情報について他のユーザに質問したり、また、他のユーザと友人になったりしてもよい。      いくつかの実施形態において、ＩＭグループのユーザは、情報に関するコメントを提供したユーザと、情報に関心のあるユーザと、を含む。換言すると、グループにアクセスする際に制限はない。いくつかの実施形態では、ＩＭグループのユーザは、情報に関連するコメントを提供したユーザのみに制限される。
【００７４】
図６は、グループメッセージング関係を確立するためのウェブサーバとクライアントのブラウザとを示す構造ブロック図である。
【００７５】
上述のウェブページ表示方法に対応して、本願は、グループメッセージング関係を確立するためのウェブサーバ６００およびクライアントのブラウザ６５０を開示する。ウェブサーバ６００およびクライアントのブラウザ６５０の課題解決の原理は、ウェブページ表示方法と同様なので、ウェブサーバ６００およびクライアントのブラウザ６５０は、ウェブページ表示方法を参照して実施できる。同様の部分については、簡単のために再び議論はしない。図６を参照すると、ウェブサーバ６００は、以下を備える。
【００７６】
クライアントのブラウザ６５０によって送信された情報ウェブページ閲覧要求を受信するよう構成された受信ユニット６０１。
【００７７】
情報に関連するインスタントメッセージンググループの固有のＩＤ情報に基づいて、情報に関連するインスタントメッセージンググループのポータル情報を情報ウェブページにロードし、表示のためにクライアントのブラウザ６５０に情報ウェブページを転送するよう構成された転送ユニット６０２。
【００７８】
クライアントのブラウザ６５０は、以下を含む。
【００７９】
情報ウェブページ閲覧要求をウェブサーバ６００に送信するよう構成された送信ユニット６０３。
【００８０】
情報ウェブページ閲覧要求に基づいて情報に関連するインスタントメッセージンググループの情報ウェブページにロードされたポータル情報を表示するよう構成された表示ユニット６０４。ポータル情報は、情報に関連するインスタントメッセージンググループに対応する固有のＩＤ情報に基づいて、ウェブサーバによって情報ウェブページにロードされてよい。
【００８１】
本願のウェブページ表示方法および関連装置の実施形態において、閲覧される情報について、クライアントのブラウザ６５０が情報ウェブページ閲覧要求をウェブサーバに送信したこと応答して、ウェブサーバ４００は、情報に関連するインスタントメッセージンググループの固有のＩＤ情報に基づいて、情報に関連するインスタントメッセージンググループのポータル情報を情報ウェブページにロードし、表示のためにクライアントのブラウザ６５０に情報ウェブページを転送する。インスタントメッセージンググループのポータル情報を情報ウェブページにロードすることにより、情報に関心のある複数のユーザ間でのリアルタイムのやり取りが容易になり、サーバリソースの利用および通信ネットワークへの負荷が低減される。
【００８２】
本発明の実施形態に開示されたウェブページ表示方法および関連装置において、ウェブサイトへのアクセス中にユーザにとって関心のある情報をターゲットにすることにより、ユーザは、他のユーザのコメントの履歴を閲覧できるだけでなく、ターゲット情報に関連するインスタントメッセージンググループにアクセスして他のユーザとのリアルタイムのやり取りに参加することもできる。したがって、ユーザの体験は、大いに向上しうる。その結果、ウェブサイトへのユーザの支持が高まりうる。
【００８３】
上述のユニットは、１または複数のプロセッサ上で実行されるソフトウェアコンポーネントとして、特定の機能を実行するよう設計されたプログラム可能論理デバイスおよび／または特定用途向け集積回路などのハードウェアとして、もしくは、それらの組み合わせとして実装することができる。いくつかの実施形態において、ユニットは、コンピュータデバイス（パーソナルコンピュータ、サーバ、ネットワーク装置など）に本発明の実施形態に記載された方法を実行させるための複数の命令など、不揮発性記憶媒体（光学ディスク、フラッシュ記憶装置、携帯用ハードディスクなど）に格納することができるソフトウェア製品の形態で具現化されてよい。ユニットは、単一のデバイス上に実装されてもよいし、複数のデバイスにわたって分散されてもよい。ユニットの機能は、互いに統合されてもよいし、複数のサブユニットにさらに分割されてもよい。
【００８４】
当業者は、本願の実施形態が、方法、装置（デバイス）、または、コンピュータプログラム製品として提供されうることを理解されたい。したがって、本願は、完全にハードウェアからなる実施形態、完全にソフトウェアからなる実施形態、または、ソフトウェアおよびハードウェアを併せ持つ実施形態をとりうる。さらに、本願は、コンピュータ動作可能なプログラムコードを含む１または複数のコンピュータ動作可能な記憶媒体（磁気ディスク記憶デバイス、ＣＤ−ＲＯＭ、および、光学記憶デバイスを含むがこれらに限定されない）上に実装されたコンピュータプログラム製品の形態をとりうる。
【００８５】
本願は、方法、装置（デバイス）、および、コンピュータプログラム製品に基づいたフローチャートおよび／またはブロック図を参照して記載されている。フローチャートおよび／またはブロック図内の各処理および／またはブロック、ならびに、フローチャートおよび／またはブロック図内の処理および／またはブロックの組み合わせは、コンピュータプログラム命令で実現されうることを理解されたい。これらのコンピュータ命令は、マシンを生成するために、汎用コンピュータ、専用コンピュータ、組み込みプロセッサ、または、その他のプログラム可能なデータ装置のプロセッサに供給されてよく、その結果、コンピュータまたはその他のプログラム可能なデータ装置のプロセッサによって命令が実行されることで、フローチャートの１または複数の処理および／またはブロック図の１または複数のブロックに記載された機能を実施するために用いられるデバイスが生成される。
【００８６】
これらのコンピュータプログラム命令は、コンピュータまたはその他のプログラム可能なデータ装置を導くことができる専用のコンピュータ読み取り可能な記憶デバイス上に格納されてもよく、その結果、これらのコンピュータ読み取り可能なデバイス上に命令が格納されることで、命令デバイスを備える製品が生成される。これらの命令デバイスは、フローチャートの１または複数の処理および／またはブロック図の１または複数のブロックに記載された機能を実施する。
【００８７】
これらのコンピュータプログラム命令は、コンピュータまたはその他のプログラム可能なデータ処理装置上にロードされてもよく、その結果、一連の動作工程が、コンピュータまたはその他のプログラム可能な装置上で実行され、コンピュータ処理が行われる。このように、コンピュータまたはその他のプログラム可能な装置上で実行された命令は、フローチャートの１または複数の処理および／またはブロック図の１または複数のブロックに記載された機能を実施するための工程を提供する。
【００８８】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
適用例１：グループメッセージング関係を確立するための方法であって、ウェブサーバにより、情報に関するコメントの数が所定の第１の期間内に所定の第１の閾値を超えたか否かを判定し、前記情報に関する前記コメントの数が前記所定の第１の期間内に前記所定の第１の閾値を超えた場合に、前記情報に関連する対応するインスタントメッセージンググループを確立し、前記情報に関連する前記インスタントメッセージンググループの固有のＩＤ情報を記録すること、を備える、方法。
適用例２：適用例１に記載の方法であって、前記対応するインスタントメッセージンググループの確立は、前記ウェブサーバにより、前記情報に関連するインスタントメッセージンググループを確立するためのインスタントメッセージンググループ確立要求をインスタントメッセージングサーバに送信し、前記インスタントメッセージングサーバが前記インスタントメッセージンググループ確立要求に基づいて前記インスタントメッセージンググループを確立したことに応答して前記インスタントメッセージングサーバから送信されたインスタントメッセージンググループ確立応答を受信すること、を含む、方法。
適用例３：適用例１に記載の方法であって、さらに、前記ウェブサーバにより、前記情報に関連する前記インスタントメッセージンググループが所定の中断条件を満たすか否かを判定し、前記情報に関連する前記インスタントメッセージンググループが、前記所定の中断条件を満たす場合に、前記ウェブサーバにより、前記情報に関連する前記インスタントメッセージンググループを中断し、前記情報に関連する前記インスタントメッセージンググループの前記記録された固有のＩＤ情報を削除するか、または、前記情報に関連する前記インスタントメッセージンググループのステータスを中断ステータスに設定すること、を備える、方法。
適用例４：適用例３に記載の方法であって、前記所定の中断条件は、所定の第２の期間内に前記情報に関連する前記インスタントメッセージンググループで投稿されたメッセージの数が、所定の第２の閾値未満である条件、所定の第３の期間内に前記情報に関連する前記インスタントメッセージンググループでメッセージを送信したユーザの数が、所定の第３の閾値未満である条件、現在の日付が、前記情報に関連する前記インスタントメッセージンググループの有効期限を過ぎている条件、または、これらの任意の組み合わせ、を含む、方法。
適用例５：適用例３に記載の方法であって、前記情報に関連する前記インスタントメッセージンググループの中断は、前記ウェブサーバにより、前記情報に関連する前記インスタントメッセージンググループの前記固有のＩＤ情報を含むインスタントメッセージンググループ中断要求を前記インスタントメッセージングサーバに送信し、前記インスタントメッセージングサーバが前記インスタントメッセージンググループを中断したことに応答して前記インスタントメッセージングサーバによって送信されたインスタントメッセージンググループ中断応答を受信すること、を含む、方法。
適用例６：ウェブサーバであって、制御ユニットと、判定ユニットと、確立ユニットと、を備え、前記判定ユニットは、情報に関するコメントの数が所定の第１の期間内に所定の第１の閾値を超えたか否かを判定し、前記制御ユニットは、前記情報に関する前記コメントが前記所定の第１の期間内に前記所定の第１の閾値を超えたと前記判定ユニットが判定したことに応答して、前記確立ユニットを起動し、前記確立ユニットは、前記情報に関連する対応するインスタントメッセージンググループを確立し、前記情報に関連する前記インスタントメッセージンググループに対応する固有のＩＤ情報を記録する、ウェブサーバ。
適用例７：適用例６に記載のウェブサーバであって、前記確立ユニットは、前記情報に関連するインスタントメッセージンググループ確立要求をインスタントメッセージングサーバに送信するよう構成された第１の送信ユニットと、前記インスタントメッセージングサーバが前記情報に関連する前記インスタントメッセージンググループを確立したことに応答して前記インスタントメッセージングサーバによって送信されたインスタントメッセージンググループ確立応答を受信するよう構成された第１の受信ユニットであって、前記インスタントメッセージンググループ確立応答は、前記インスタントメッセージンググループに対応する前記固有のＩＤ情報を含む、第１の受信ユニットと、前記第１の受信ユニットによって受信された前記インスタントメッセージンググループ確立応答に基づいて、前記情報に関連する前記インスタントメッセージンググループに対応する前記固有のＩＤ情報を記録するよう構成された追加ユニットと、を備える、ウェブサーバ。
適用例８：適用例６に記載のウェブサーバであって、さらに、前記情報に関連する前記インスタントメッセージンググループを中断し、前記情報に関連する前記インスタントメッセージンググループの前記固有のＩＤ情報を削除するか、または、前記情報に関連する前記インスタントメッセージンググループのステータスを中断ステータスに設定するよう構成された中断ユニットを備え、前記判定ユニットは、前記情報に関連する前記インスタントメッセージンググループが所定の中断条件を満たしたか否かを判定し、前記制御ユニットは、前記情報に関連する前記インスタントメッセージンググループが前記所定の中断条件を満たしたと前記判定ユニットが判定したことに応答して、前記中断ユニットを起動する、ウェブサーバ。
適用例９：適用例８に記載のウェブサーバであって、前記制御ユニットは、所定の第２の期間内に前記情報に関連する前記インスタントメッセージンググループで投稿されたメッセージの数が、所定の第２の閾値未満である条件、所定の第３の期間内に前記情報に関連する前記インスタントメッセージンググループでメッセージを送信したユーザの数が、所定の第３の閾値未満である条件、および、現在の日付が、前記情報に関連する前記インスタントメッセージンググループの設定された有効期限を過ぎている条件、の任意の組み合わせが満たされたことに応答して、前記中断ユニットを起動する、ウェブサーバ。
適用例１０：適用例８に記載のウェブサーバであって、前記中断ユニットは、前記情報に関連する前記インスタントメッセージンググループに対応する前記固有のＩＤ情報を含むインスタントメッセージンググループ中断要求を前記インスタントメッセージングサーバに送信するよう構成された第２の送信ユニットと、前記インスタントメッセージングサーバが前記インスタントメッセージンググループ中断要求を受信したことに応答して前記インスタントメッセージングサーバによって送信されたインスタントメッセージンググループ中断応答を受信するよう構成された第２の受信ユニットと、前記情報に関連する前記インスタントメッセージンググループに対応する前記固有のＩＤ情報を削除するか、または、前記情報に関連する前記インスタントメッセージンググループのステータスを中断ステータスに設定するよう構成された削除ユニットと、を備える、ウェブサーバ。
適用例１１：ウェブページ表示方法であって、クライアントのブラウザによって送信された情報ウェブページ閲覧要求をウェブサーバで受信し、前記情報ウェブページ閲覧要求は、情報に関連するインスタントメッセージンググループに対応する固有のＩＤ情報を含み、前記固有のＩＤ情報に基づいて、前記情報に関連する前記インスタントメッセージンググループのポータル情報を情報ウェブページにロードし、前記情報ウェブページにロードされた前記ポータル情報を表示に向けて前記クライアントの前記ブラウザに転送すること、を備える、方法。
適用例１２：ウェブサーバであって、クライアントのブラウザによって送信された情報ウェブページ閲覧要求を受信するよう構成された受信ユニットと、前記情報ウェブページ閲覧要求は、情報に関連するインスタントメッセージンググループに対応する固有のＩＤ情報を含み、前記固有のＩＤ情報に基づいて、前記情報に関連する前記インスタントメッセージンググループのポータル情報を情報ウェブページにロードし、前記情報ウェブページにロードされた前記ポータル情報を表示に向けて前記クライアントの前記ブラウザに転送するよう構成されている転送ユニットと、を備える、ウェブサーバ。
適用例１３：ウェブページ表示方法であって、クライアントのブラウザにより、情報ウェブページ閲覧要求をウェブサーバに送信し、前記情報ウェブページ閲覧要求は、情報に関連するインスタントメッセージンググループに対応する固有のＩＤ情報を含み、前記ウェブサーバにより、前記固有のＩＤ情報に基づいて、前記情報に関連する前記インスタントメッセージンググループのポータル情報をロードし、前記ウェブサーバにより、情報ウェブページを転送し、前記情報ウェブページにロードされた前記ポータル情報を、表示するための前記クライアントの前記ブラウザに転送すること、を備える、方法。
適用例１４：クライアントのブラウザであって、情報ウェブページ閲覧要求をウェブサーバに送信するよう構成された送信ユニットと、前記情報ウェブページ閲覧要求は、情報に関連するインスタントメッセージンググループに対応する固有のＩＤ情報を含み、前記情報ウェブページ閲覧要求の前記固有のＩＤ情報に基づいて、情報に関連するインスタントメッセージンググループに関するポータル情報を情報ウェブページにロードし、前記ウェブサーバにより、前記情報ウェブページにロードされた前記ポータル情報を転送するよう構成されている表示ユニットと、を備える、クライアントのブラウザ。
適用例１５：グループメッセージング関係を確立するためのコンピュータプログラム製品であって、持続性のコンピュータ読み取り可能な媒体内に具現化され、ウェブサーバにより、情報に関するコメントの数が所定の第１の期間内に所定の第１の閾値を超えたか否かを判定するためのコンピュータ命令と、前記情報に関する前記コメントの数が前記所定の第１の期間内に前記所定の第１の閾値を超えた場合に、前記情報に関連する対応するインスタントメッセージンググループを確立するためのコンピュータ命令と、前記情報に関連する前記インスタントメッセージンググループの固有のＩＤ情報を記録するためのコンピュータ命令と、を備える、コンピュータプログラム製品。
適用例１６：適用例１５に記載のコンピュータプログラム製品であって、前記対応するインスタントメッセージンググループを確立することは、前記ウェブサーバにより、前記情報に関連するインスタントメッセージンググループを確立するためのインスタントメッセージンググループ確立要求をインスタントメッセージングサーバに送信すること、前記インスタントメッセージングサーバが前記インスタントメッセージンググループ確立要求に基づいて前記インスタントメッセージンググループを確立したことに応答して前記インスタントメッセージングサーバから送信されたインスタントメッセージンググループ確立応答を受信すること、を含む、コンピュータプログラム製品。
適用例１７：適用例１５に記載のコンピュータプログラム製品であって、さらに、前記ウェブサーバにより、前記情報に関連する前記インスタントメッセージンググループが所定の中断条件を満たすか否かを判定するためのコンピュータ命令と、前記情報に関連する前記インスタントメッセージンググループが、前記所定の中断条件を満たす場合に、前記ウェブサーバにより、前記情報に関連する前記インスタントメッセージンググループを中断するためのコンピュータ命令と、前記情報に関連する前記インスタントメッセージンググループの前記記録された固有のＩＤ情報を削除するか、または、前記情報に関連する前記インスタントメッセージンググループのステータスを中断ステータスに設定するためのコンピュータ命令と、を備える、コンピュータプログラム製品。
適用例１８：適用例１７に記載のコンピュータプログラム製品であって、前記所定の中断条件は、所定の第２の期間内に前記情報に関連する前記インスタントメッセージンググループで投稿されたメッセージの数が、所定の第２の閾値未満である条件、所定の第３の期間内に前記情報に関連する前記インスタントメッセージンググループでメッセージを送信したユーザの数が、所定の第３の閾値未満である条件、現在の日付が、前記情報に関連する前記インスタントメッセージンググループの有効期限を過ぎている条件、または、これらの任意の組み合わせ、を含む、コンピュータプログラム製品。
適用例１９：適用例１７に記載のコンピュータプログラム製品であって、前記情報に関連する前記インスタントメッセージンググループを中断することは、前記ウェブサーバにより、前記情報に関連する前記インスタントメッセージンググループの前記固有のＩＤ情報を含むインスタントメッセージンググループ中断要求を前記インスタントメッセージングサーバに送信すること、前記インスタントメッセージングサーバが前記インスタントメッセージンググループを中断したことに応答して前記インスタントメッセージングサーバによって送信されたインスタントメッセージンググループ中断応答を受信すること、
を含む、コンピュータプログラム製品。
【図１】
0005903494.tif 000002
【図２】
0005903494.tif 000003
【図３】
0005903494.tif 000004
【図４】
0005903494.tif 000005
【図５】
0005903494.tif 000006
【図６】
0005903494.tif 000007